(57)【要約】【課題】高さを調節できる簡素な構造の事務用ワゴンを提供する。【解決手段】事務用ワゴン１は、箱状のワゴン本体２と、このワゴン本体２の上面に設けられた左右上側面板６，７およびワゴン天板８とを有している。左右上側面板６，７およびワゴン天板８の組み立て態様を変更可能とし、これにより背の高いワゴンと背の低いワゴンに変更できる。背の高い組み立て態様では、ワゴン本体２の本体枠１０の左右側面板１５，１６の上端面１５ａ，１６ａ上に、左上側面板６および右上側面板７を立設し、左上側面板６および右上側面板７を跨いでその上端面にワゴン天板８を固定する。背の低い組み立て態様では、左上側面板６および右上側面板７を、本体枠１０の上面板１７の上に載置し、その上にワゴン天板８を当接させて載置し固定する。【選択図】図１
2014014420.tif 000002
【特許請求の範囲】
【請求項１】
机の横や天板下の空間において使用する事務用ワゴンであって、
左右側面板および上面板を含む略直方体状の本体枠と、前記本体枠の前面に配置され、本体枠内から前方へ引き出し可能な収容室とを有するワゴン本体、
前記本体枠の前記左右側面板の上端面上に立設された左上側面板および右上側面板、並びに
前記左上側面板および右上側面板を跨ぐように、前記左右上側面板の上端面に、下面両側部が固定されたワゴン天板、を含み、上述の組み立て態様において、背の高いワゴンとなっており、
前記ワゴン天板、左上側面板および右上側面板は、前記ワゴン本体から分解可能にされており、分解後、
前記左上側面板および右上側面板は、前記本体枠の前記上面板の上に重ねてちょうど収まるように載置可能にされており、
前記左上側面板および右上側面板を前記上面板の上に載置した後、載置した左右上側面板の上に当接して、左右上側面板を覆うように、前記本体枠の左右側面板の各上端面に、前記ワゴン天板の下面両側部を固定可能な構造を有し、
前記左上側面板および前記右上側面板を前記上面板の上に載置したときの上述の組み立て態様において、背の低いワゴンとなることを特徴とする、事務用ワゴン。
【請求項２】
背の高いワゴンとなっている状態での前記本体枠の前記左右側面板の前記上端面および前記左右上側面板の前記端面を互いに解除可能に連結する第１の連結構造と、
背の高いワゴンとなっている状態での前記左右上側面板の前記端面および前記ワゴン天板の前記下面両側部を互いに解除可能に連結する第２の連結構造と、
背の低いワゴンとなっている状態での前記本体枠の前記左右側面板の各上端面に、前記ワゴン天板の前記下面両側部を解除可能に固定する固定構造とを含むことを特徴とする、請求項１に記載の事務用ワゴン。
【発明の詳細な説明】
【技術分野】
【０００１】
この発明は、事務用ワゴンに関する。
【背景技術】
【０００２】
特許文献１には、事務用ワゴンの天板の高さを調整可能とすることが提案されている。具体的には、事務用ワゴンは、箱状の本体と、この本体から上方に突出しており突出量が調整可能な支柱と、この支柱の上端に固定された天板とを有しており、本体からの支柱の突出量が段階的に調節できるようになっている。
【先行技術文献】
【特許文献】
【０００３】
【特許文献１】特開平０９−２６２１３６号公報
【発明の概要】
【発明が解決しようとする課題】
【０００４】
しかし、特許文献１の支柱の構造は、複雑であった。
一方で、組み立て態様を変更することで、天板の高さを調節、特に低くできるような事務用ワゴンが要望されている。
そこで、この発明の目的は、天板の高さを調節できる簡素な構造の事務用ワゴンを提供することである。
【課題を解決するための手段】
【０００５】
請求項１記載の発明は、机の横や天板下の空間において使用する事務用ワゴンであって、左右側面板および上面板を含む略直方体状の本体枠と、前記本体枠の前面に配置され、本体枠内から前方へ引き出し可能な収容室とを有するワゴン本体、前記本体枠の前記左右側面板の上端面上に立設された左上側面板および右上側面板、並びに前記左上側面板および右上側面板を跨ぐように、前記左右上側面板の上端面に、下面両側部が固定されたワゴン天板、を含み、上述の組み立て態様において、背の高いワゴンとなっており、前記ワゴン天板、左上側面板および右上側面板は、前記ワゴン本体から分解可能にされており、分解後、前記左上側面板および右上側面板は、前記本体枠の前記上面板の上に重ねてちょうど収まるように載置可能にされており、前記左上側面板および右上側面板を前記上面板の上に載置した後、載置した左右上側面板の上に当接して、左右上側面板を覆うように、前記本体枠の左右側面板の各上端面に、前記ワゴン天板の下面両側部を固定可能な構造を有し、前記左上側面板および前記右上側面板を前記上面板の上に載置したときの上述の組み立て態様において、背の低いワゴンとなることを特徴とする、事務用ワゴンである。
【０００６】
請求項２記載の発明は、背の高いワゴンとなっている状態での前記本体枠の前記左右側面板の前記上端面および前記左右上側面板の前記端面を互いに解除可能に連結する第１の連結構造と、背の高いワゴンとなっている状態での前記左右上側面板の前記端面および前記ワゴン天板の前記下面両側部を互いに解除可能に連結する第２の連結構造と、背の低いワゴンとなっている状態での前記本体枠の前記左右側面板の各上端面に、前記ワゴン天板の前記下面両側部を解除可能に固定する固定構造とを含むことを特徴とする、請求項１に記載の事務用ワゴンである。
【発明の効果】
【０００７】
請求項１記載の発明によれば、組み立て態様を変更することで、背の高いワゴンおよび背の低いワゴンのいずれかを組み立てることができる。従って、ワゴン天板の高さを調節することができる。また、ワゴン天板の高さ調節は、組み立て態様を変更することで実現されるので、高さ調節のための構造を簡素化できる。ひいては、事務用ワゴンの高さを低くできる。また、背の低いワゴンになったときには、背の高いワゴンにするときに用いる左右上側面板は、上面板に重ねられてワゴン天板の下に収容されるので、邪魔にならず、また見栄えもよい。
【０００８】
請求項２記載の発明によれば、例えば、第１および第２の連結構造を解除することにより、背の高い事務用ワゴンからワゴン天板および左右上側面板を取り外すことができる。また、固定構造の解除により、背の低い事務用ワゴンからワゴン天板および左右上側面板を取り外すことができる。従って、組み立て態様を容易に変更できる。
【図面の簡単な説明】
【０００９】
【図１】この発明の一実施形態の事務用ワゴン１の正面図であり、図１（ａ）に背の高い組み立て態様を示し、図１（ｂ）に背の低い組み立て態様を示す。
【図２】背の高い組み立て態様の事務用ワゴン１の分解斜視図である。
【図３】第１の連結構造２１の模式的な一部断面分解図である。
【図４】背の低い組み立て態様の事務用ワゴン１の分解斜視図である。
【発明を実施するための形態】
【００１０】
以下では、この発明の実施の形態を、添付図面を参照して詳細に説明する。
図１は、この発明の一実施形態の事務用ワゴン１の正面図であり、図１（ａ）には背の高い組み立て態様を示し、図１（ｂ）には背の低い組み立て態様を示す。
図１（ａ）を参照して、事務用ワゴン１は、全体として箱状をなしている。事務用ワゴン１は、下部に配置された箱状のワゴン本体２と、このワゴン本体２の上に配置された門形の棚部３とを有している。また、事務用ワゴン１は、移動するための車輪４を有しており、例えば、机（図示せず）の横や、この机の天板下の空間において使用される。
【００１１】
棚部３は、組み立て態様を変更できるように構成されている。具体的には、棚部３は、左上側面板６および右上側面板７、並びにワゴン天板８を有している。棚部３が、図１（ａ）に示す組み立て態様（背の高い組み立て態様ともいう。）に組み立てられたときには、事務用ワゴン１は、背の高いワゴンになる。
一方、棚部３が図１（ｂ）に示す組み立て態様（背の低い組み立て態様ともいう。）に組み立てられたときには、左上側面板６および右上側面板７がワゴン天板８と平行に且つ水平に重ね合わされており、事務用ワゴン１は背の低いワゴンになる。
【００１２】
図２は、背の高い組み立て態様の事務用ワゴン１の分解斜視図である。
図１（ａ）および図２を参照して、ワゴン本体２は、略直方体状の本体枠１０と、本体枠１０の前面に配置された収容室１１とを有している。
収容室１１は、上方に開放された箱形状をなし、本体枠１０内から前方へ引き出し可能とされている。収容室１１の側面と、本体枠１０の側面とは、互いに係合する直動案内機構１２，１３を介してスライド可能に連結されている。収容室１１は、引出しとして利用できる。
【００１３】
本体枠１０は、左側面板１５と、右側面板１６と、上面板１７と、下面板１８とを有している。左側面板１５と右側面板１６とが、左右方向について互いに対向しており、収容室１１の左右両側に配置されている。上面板１７と下面板１８とが、上下方向について互いに対向しており、収容室１１の上下両側に配置されている。本体枠１０の下面には、複数のキャスタータイプの車輪４が取り付けられている。
【００１４】
背の高い組み立て態様では、左上側面板６および右上側面板７の板厚方向は、左右方向に平行に配置されている。左上側面板６は、本体枠１０の左側面板１５の上端面１５ａ上に立設されて固定されており、第１の連結構造２１により解除可能に互いに連結されている。右上側面板７は、本体枠１０の右側面板１６の上端面１６ａ上に立設されて固定されており、第１の連結構造２１により解除可能に互いに連結されている。連結状態では、左上側面板６と本体枠１０の左側面板１５の外側の側面同士は、互いに面一に接続されており、事務用ワゴン１の側面を構成している。右上側面板７と本体枠１０の右側面板１６の外側の側面同士も同様である。
【００１５】
第１の連結構造２１は、左上側面板６について複数カ所、例えば前後に所定間隔で並ぶ３箇所に設けられており、右上側面板７についても同様に設けられている。
また、ワゴン天板８が左上側面板６および右上側面板７を跨ぐようにして、当該ワゴン天板８の下面側部８ａと左上側面板６の上端面６ａとが互いに固定されており、これとともに、当該ワゴン天板８の下面側部８ａと右上側面板７の上端面７ａとが互いに固定されており、具体的には、第２の連結構造２２により解除可能に互いに連結されている。
【００１６】
第２の連結構造２２は、左上側面板６について複数カ所、例えば前後に所定間隔で並ぶ３箇所に設けられており、右上側面板７についても同様に設けられている。
この実施形態では、第１の連結構造２１と、第２の連結構造２２とは、互いに同じに構成されている。第１および第２の連結構造２１，２２の互いに対応する構成要素には、互いに同じ名称および符合を付しておく。以下では、左上側面板６にある複数のうちの１つの第１の連結構造２１を中心に説明する。
【００１７】
図３は、第１の連結構造２１の模式的な一部断面分解図である。
図２および図３を参照して、第１の連結構造２１は、一方の連結面としての左側面板１５の上端面１５ａから突出する係合軸２４と、この係合軸２４の突出端に設けられたくびれ状の係合突部２５と、他方の連結面としての左上側面板６の下端面６ｂの凹部２６内に回転可能に配置されており側方から回転させることにより係合軸２４の係合突部２５と係合して係合軸２４を引っ張り可能なカム体２７とを有している。
【００１８】
係合軸２４は、固定部としての雄ねじ部２８と、円柱部２９と、前述の係合突部２５とを有している。雄ねじ部２８が、一方の連結面としての本体枠１０の左側面板１５の上端面１５ａに設けられた雌ねじ孔３０にねじ嵌合しており、これにより固定されている。雌ねじ孔３０は、具体的には、左側面板１５の上端面１５ａに形成された孔３１に、雌ねじ部材３２が埋設状態で固定されることにより構成されている。雌ねじ部材３２は、筒状をなし、その内周に雌ねじが形成されている。
【００１９】
係合軸２４の円柱部２９と係合突部２５とは、上端面１５ａから突出しており、左上側面板６の凹部２６に挿入される。
この凹部２６は、左上側面板６の下端面６ｂに開口する縦孔３３と、左上側面板６の内側の側面に開口する横孔３４とを有している。縦孔３３および横孔３４は、有底に形成されており、互いに奥部同士で互いに交差して連通している。縦孔３３には、係合軸２４の円柱部２９および係合突部２５が挿入される。また、横孔３４にはカム体２７が回転可能に装着される。
【００２０】
カム体２７は、有底の略円筒形状をなしている。カム体２７の底面には、十字溝が形成されている。この十字溝は、回転させるときに工具により操作可能な操作部として機能する。カム体２７の内周面は、係合突部２５と係合するカム面３６を含んでいる。このカム面３６は、回転方向に対して傾斜する傾斜面、例えば、回転中心に対して偏心した湾曲面により形成されている。また、カム体２７は、外周面に内部と連通する開口３７を有している。この開口３７を通じて、係合突部２５は、カム体２７の内部に入ることができる。カム体２７が横孔３４に沿って一方の向きに回転すると、係合突部２５とカム面３６とが係合することができ、さらに、カム面３６が係合突部２５を押し上げて、係合軸２４を引っ張り込むようになっている。これにより、係合軸２４およびカム体２７を介して、左側面板１５および左上側面板６を互いに締結することができる。
【００２１】
また、逆の操作により、カム体２７と係合軸２４との係合を解除することができる。すなわち、カム体２７を逆向きに回転させると、カム体２７の開口３７が縦孔３３に連通する位置に達し、係合軸２４をカム体２７および凹部２６の縦孔３３から引き抜くことができる。
また、第２の連結構造２２は、一方の連結面としてワゴン天板８の下面側部８ａから突出する係合突部２５を有する係合軸２４と、他方の連結面としての左右上側面板６，７の上端面６ａ，７ａに形成された凹部２６内に回転可能に配置されており回転することにより係合軸２４の係合突部２５と係合して係合軸２４を引っ張り可能なカム体２７とを有している。第２の連結構造２２においても、第１の連結構造と同様にして、連結し、またその連結を解除することができる。
【００２２】
このように、第１の連結構造２１および第２の連結構造２２による連結を解除することにより、左上側面板６、右上側面板７、およびワゴン天板８を、背の高い組み立て態様のワゴン本体２から分解することができる。
図４は、背の低い組み立て態様の事務用ワゴン１の分解斜視図である。
図１（ｂ）および図４を参照して、ワゴン本体２から左上側面板６、右上側面板７、およびワゴン天板８が分解された後、左上側面板６および右上側面板７が、本体枠１０の上面板１７の上に重ねて載置される。さらに、左上側面板６および右上側面板７を覆うように、ワゴン天板８が載置される。
【００２３】
背の低い組み立て態様では、左上側面板６および右上側面板７の板厚方向は、上下方向に平行に配置されている。また、ワゴン天板８は、上面板１７に載置した左上側面板６および右上側面板７に当接しており、ワゴン天板８の下面両側部８ａが、本体枠１０の左側面板１５の上端面１５ａおよび右側面板１６の上端面１６ａに、後述する固定構造４０により解除可能に固定される。これにより、背の低い組み立て態様での事務用ワゴン１の組立が完了する。
【００２４】
また、背の低い組み立て態様においては、左上側面板６および右上側面板７は、本体枠１０の上面板１７の上に重ねてちょうど収まるように構成されている。
例えば、左右方向については、左上側面板６の幅寸法Ｌ１と右上側面板７の幅寸法Ｌ２は、互いに等しく（Ｌ１＝Ｌ２）されている。左上側面板６の幅寸法Ｌ１と右上側面板７の幅寸法Ｌ２との和の値（Ｌ１＋Ｌ２）と、左右方向についての本体枠１０の左側面板１５と右側面板１６との間隔（Ｌ３）とが、互いに等しく（Ｌ３＝（Ｌ１＋Ｌ２））されている。
【００２５】
また、上下方向については、左上側面板６の板厚Ｔ１と右上側面板７の板厚Ｔ２とは、互いに等しく（Ｔ１＝Ｔ２）されている。上面板１７からの左側面板１５の突出量Ｈ１と、上面板１７からの右側面板１６の突出量Ｈ２とが、互いに等しく（Ｈ１＝Ｈ２）されている。上面板１７からの左側面板１５（右側面板１６でもよい）の突出量Ｈ１，Ｈ２と、左上側面板６（右上側面板７でもよい）の板厚Ｔ１，Ｔ２とが、互いにほぼ等しくされている。なお、後述するように固定構造４０による締め付け状態において、前述の突出量Ｈ１，Ｈ２と、左右上側面板６，７の板厚Ｔ１，Ｔ２とが実質的に等しくなるような寸法設定とされていればよい。
【００２６】
固定構造４０は、本体枠１０の上面板１７に形成された貫通孔４１と、左上側面板６および右上側面板７に形成された貫通孔４２と、ワゴン天板８の下面からねじ嵌合可能な雌ねじ孔４４と、この雌ねじ孔４４にねじ嵌合する雄ねじ部材４５とを含んでいる。雄ねじ部材４５は、具体的にはボルトである。
貫通孔４１，４２は、対応する上面板１７、左上側面板６、および右上側面板７を板厚方向に貫通している。また、上面板１７に、左上側面板６および右上側面板７が載置され、その上にワゴン天板８が載せられた状態で、貫通孔４１，４２および雌ねじ孔４４は、互いに対向して連通するように、互いに位置合わせされて形成されている。また、雌ねじ孔４４は、下方に開口した有底の孔である。
【００２７】
雄ねじ部材４５は、上面板１７の貫通孔４１、左上側面板６（または右上側面板７）の貫通孔４２を貫通し、雌ねじ孔４４にねじ嵌合する。この状態で、雄ねじ部材４のねじを締めると、雄ねじ部材４５の頭部とワゴン天板８の下面との間に、上面板１７、左上側面板６（または右上側面板７）が、締め付け状態で固定される。
また、固定構造４０による固定を解除することにより、ワゴン天板８、左上側面板６および右上側面板７は、背の低い組み立て態様のワゴン本体２から分解することができる。これにより、前述したように、背の高い組み立て態様で事務用ワゴン１を組み立てることができる。
【００２８】
このように、組み立て態様を変更することで、背の高いワゴンおよび背の低いワゴンのいずれかを組み立てることができる。従って、ワゴン天板８の高さを調節することができる。また、ワゴン天板８の高さ調節は、組み立て態様を変更することで実現されるので、高さ調節のための構造を簡素化できる。ひいては、背の低いときの事務用ワゴン１の高さを低くできる。また、背の低いワゴンになったときには、背の高いワゴンにするときに用いる左上側面板６および右上側面板７は、上面板１７に重ねられており、ワゴン天板８は、低い位置に配置されている。ワゴン天板８の下に収容されるので、邪魔にならず、また見栄えもよい。
【００２９】
また、第１および第２の連結構造２１，２２を解除することにより、背の高い事務用ワゴン１からワゴン天板８および左右上側面板６，７を取り外すことができる。また、固定構造４０の解除により、背の低い事務用ワゴン１からワゴン天板８および左右上側面板６，７を取り外すことができる。従って、組み立て態様を容易に変更できる。
また、背の高いワゴンとなっている状態では、固定構造４０の貫通孔４２は利用しないが、側方に開放されており、目立ち易い。そこで、貫通孔４２が目立たないように貫通孔４２を覆う覆い部材（図示せず）が設けられるのが好ましい。これにより、貫通孔４２が目立たず、見栄えがよくなる。
【００３０】
覆い部材は、例えば、貫通孔の直径よりも大きな直径を有した紙、樹脂などで形成された円形のシートである。このシートの片面に接着剤が塗布されている。覆い部材は、貫通孔４２の両側の開口に設けてもよいし、左右の外側の開口のみに設けてもよく、少なくとも一方の開口に設けるようにすればよい。
また、この発明の実施形態について、以下のような変形例を考えることができる。例えば、背の低い組み立て形態のときの上面板１７の上に載置された左右上側面板６，７の向きや姿勢は、前述の実施形態のように左右上側面板６，７を左右に並べてもよいし、この他、左右上側面板６，７を前後に並べてもよい。また、左右上側面板６，７を、その凹部２６の横孔３４が上向きに開放されるように配置してもよいし、逆向きにしてもよい。
【００３１】
また、第１および第２の連結構造２１，２２並びに固定構造４０としては、前述した構成に限らず、その他の公知の構成を採用することができる。
その他、特許請求の範囲に記載された事項の範囲で種々の設計変更を施すことが可能である。
【符号の説明】
【００３２】
１    事務用ワゴン
２    ワゴン本体
６    左上側面板
６ａ，７ａ，１５ａ，１６ａ    上端面
７    右上側面板
８    ワゴン天板
８ａ    下面側部
１０    本体枠
１１    収容室
１５    左側面板
１６    右側面板
１７    上面板
２１    第１の連結構造
２２    第２の連結構造
４０    固定構造（固定可能な構造）
【図１】
2014014420.tif 000003
【図２】
2014014420.tif 000004
【図３】
2014014420.tif 000005
【図４】
2014014420.tif 000006